(57)【要約】【課題】  額縁を壁面の突起具に係止した状態のままで、表示物の交換を簡単かつ迅速に行うことができると共に、厚さ寸法がそれぞれ異なる表示物でも保持することができる額縁構造を提供する。【解決手段】  表示窓部１５ａが形成され、表示窓部１５ａの周囲を囲むように枠部１５ｂが形成され、枠部１５ｂの背面に本体係合部１６が設けられた本体部材１４と、鉛直面に沿って吊り下げるための吊下げ部２３と、本体係合部１６に係合する吊下係合部２４が設けられた吊下げ具２０と、を備え、本体係合部１６は、本体部材１４の表示窓部１５ａの左右両側及び／又は上下両側の枠部１５ｂの背面に設けられ、本体係合部１６と吊下係合部２４は、本体部材１４と吊下げ具２０の裏板又は壁面との間隔が変更可能となるように係合した。【選択図】図１
0003216315.tif 000002
【実用新案登録請求の範囲】
【請求項１】
表示窓部が形成され、前記表示窓部の周囲を囲むように枠部が形成され、前記枠部の背面に本体係合部が設けられた本体部材と、
鉛直面に沿って吊り下げるための吊下げ部と、前記本体係合部に係合する吊下係合部が設けられた吊下げ具と、を備え、
前記本体係合部は、前記本体部材の前記表示窓部の左右両側及び／又は上下両側の前記枠部の背面に設けられ、
前記本体係合部と前記吊下係合部は、前記本体部材と前記吊下げ具の裏板又は壁面との間隔が変更可能となるように係合した
ことを特徴とする額縁構造。
【請求項２】
前記吊下げ具を鉛直面に沿って吊り下げて、前記吊下係合部が前記本体係合部に係合することにより、前記本体部材が前記本体部材の背面側に配置された表示物を鉛直面に沿って前記枠部の背面に押し付けて前記表示窓部から見えるように保持することができるように構成した
ことを特徴とする請求項１に記載の額縁構造。
【請求項３】
前記本体部材の前記表示窓部の上下両側の一方及び／又は左右両側の一方の前記枠部の背面に支持部が形成され、
前記吊下げ具を鉛直面に沿って吊り下げて、前記吊下係合部が前記本体係合部に係合することにより、前記支持部が前記本体部材の背面側に配置された表示物の下部を支持することができるように構成した
ことを特徴とする請求項１又は２に記載の額縁構造。
【請求項４】
前記吊下係合部は、水平方向に伸びる同一軸線上に位置する両端部と、前記両端部の間に、前記両端部の軸線より下方にずれて位置する中央部と、前記両端部と前記中央部のそれぞれを連結する連結部を備え、
前記吊下係合部の前記両端部は、その軸線回りに回動可能となるように前記吊下げ具に取り付けられ、
前記吊下係合部の前記中央部に、前記本体部材の前記本体係合部が係合し、
前記吊下係合部の前記両端部がその軸線回りに回動することにより、前記本体部材と前記吊下げ具との対向面同士の間隔が変更可能となるように構成された
ことを特徴とする請求項１から３のいずれかに記載の額縁構造。
【請求項５】
前記吊下げ具は、その外形が前記本体部材の前記表示窓部より大きく形成された裏板を備え、
前記裏板は、前記吊下係合部が前記本体係合部に係合したときに、前記裏板の周縁部の前面が、前記本体部材の前記枠部の背面に接触するように、前記吊下げ具に取り付けられ、
前記吊下げ具を鉛直面に沿って吊り下げて、前記吊下係合部が前記本体係合部に係合することにより、前記本体部材と前記裏板とが前記本体部材の背面側に配置された表示物を挟み込むように保持することができるように構成した
ことを特徴とする請求項１から４のいずれかに記載の額縁構造。
【考案の詳細な説明】
【技術分野】
【０００１】
本考案は、１枚の絵や複数頁の小冊子等のさまざまな厚さの表示物を挟み込んで保持し、壁等の鉛直平面に設けられた突起具に吊り下げることにより、表示物を鉛直平面に展示するための額縁構造に関するものである。
【背景技術】
【０００２】
従来の額縁構造としては、額縁本体の背面から裏板を外し、１枚の表示物を額縁本体の内部に配置してから裏板を額縁本体の元の位置に嵌め込んで、１枚の表示物を額縁本体と裏板で挟み込むように保持するものが知られていた（例えば特許文献１）。
【０００３】
本出願の図１４及び図１５は、従来の額縁構造２について説明するために、参照する図である。
【０００４】
従来の額縁構造２は、図１４（ａ）及び（ｂ）に示すように、外形が略四角形の板状に形成された本体部材４と、本体部材４の背面に取り付けられた裏板６を備えていた。
【０００５】
本体部材４には、図１５に示すように、本体部材４の外形より小さい略四角形の配置部４ａが、本体部材４の背面の周縁部に形成された段差面４ｅの突当り部に形成され、配置部４ａの外形を囲むように縁部４ｂが形成されていた。
【０００６】
配置部４ａは、図１５に示すように、本体部材４の背面から前面へ向けて、本体部材４の厚さ方向に凹むように形成されていた。そして、配置部４ａの中央部には、配置部４ａの外形より小さい略四角形の表示窓部４ｃが形成され、この表示窓部４ｃの周囲を囲むように枠部４ｄが形成されていた。
【０００７】
表示窓部４ｃは、配置部４ａの背面側に配置した表示物１の表示面が、額縁構造２の前面側から見えるように、配置部４ａを厚さ方向に貫通する開口部として形成されていた。
【０００８】
裏板６は、本体部材４の配置部４ａの外形よりわずかに小さい略四角形の板状に形成されていた。そのため、図１４（ｂ）及び図１５に示すように、裏板６を、本体部材４の背面から凹むように形成された配置部４ａに、緩く嵌合させることができるようになっていた。
【０００９】
また、裏板６の厚さ寸法は、本体部材４の背面から配置部４ａまでの深さ寸法より小さく形成されていた。そのため、裏板６を配置部４ａに嵌合させたときに、裏板６の背面が本体部材４の背面から突出しないようになっていた。
【００１０】
そして、本体部材４の縁部４ｂには、図１４（ｂ）及び図１５に示すように、配置部４ａに嵌合させた裏板６を係止するために、複数の係止片８が取り付けられていた。
【００１１】
係止片８は、外形が細長い楕円形に形成された板状の部材であり、その長さ方向の一方の部分（取付部）が縁部４ｂの背面にネジ等によって回動可能に取り付けられていた。
【００１２】
そして、図１４（ｂ）に示すように、係止片８の長さ方向の他方の部分（押え部）が配置部４ａの内側に位置するように係止片８を回動させることにより、配置部４ａに嵌合した裏板６が背面側に外れないように係止することが可能になっていた。
【００１３】
そして、図１５に示すように、係止片８の押え部が配置部４ａの外側に位置するように係止片８を回動させることにより、裏板６を配置部４ａから取り外すことが可能になっていた。
【００１４】
そして、図１４（ｂ）に示すように、本体部材４の上下方向に沿って形成された左右の左辺側と右辺側の縁部４ｂには、その背面の略同一の高さ位置に、所定の長さを有するかけ紐９の両端部それぞれが取り付けられ、これを壁等の鉛直平面に取り付けられた突起具のフック部に係止することにより、上記の額縁構造２を鉛直平面に沿って吊り下げることができるようになっていた。
【００１５】
このような、従来の額縁構造２を用いて表示物１を保持する場合は、まず、縁部４ｂに取り付けられた全ての係止片８を、押え部が配置部４ａの外側に位置するように回動させて、本体部材４の段差面４ｅに嵌合している裏板６を取り外す。
【００１６】
そして、表示物１を本体部材４の背面側から配置部４ａに配置し、それから裏板６を本体部材４の段差面４ｅに嵌合させて、表示物１を本体部材４の配置部４ａと裏板６により挟み込む（図１５参照）。そして、全ての係止片８をその押え部が配置部４ａの内側に位置するように回動させて裏板６に係止させ、表示物１を本体部材４の内側に収めて保持していた。
【００１７】
そして、本体部材４のかけ紐９を、壁等の鉛直平面に設けられたＬ字金具のような突起具（図示せず）のフック部（Ｌ字部）に係止することにより、額縁構造２を鉛直平面に沿って吊り下げて表示物１を水平方向から目視できるように展示していた。
【先行技術文献】
【特許文献】
【００１８】
【特許文献１】実用新案登録第３０７１５５５号公報
【考案の概要】
【考案が解決しようとする課題】
【００１９】
しかしながら、上述したような従来の額縁構造２では、表示物１を額縁構造２内に収めて保持する場合や、額縁構造２が保持する表示物１を交換する場合においては、額縁を壁面の突起具から取り外してから上記作業を行う必要があり、表示物１を頻繁に交換する場合や、一度に複数の額縁の表示物１を交換する場合には、その作業がとても煩雑なものになっていた。
【００２０】
また、上述したような従来の額縁構造２では、額縁構造２が保持可能な表示物１の厚さには制限があり、それを超えた厚さの表示物１は正常に保持できなくなるという問題もあった。
【００２１】
例えば、薄い一枚の絵を描いた紙のような表示物１を配置部４ａに配置して、背面から裏板６を用いて挟み込むと、裏板６の背面が本体部材４の背面より前面側に位置するため、係止片８を回動して裏板６を係止しても、配置部４ａの枠部４ｄと裏板６の間に隙間が生じてしまい、表示物１の表示位置がずれたり、表示物１がその厚さ方向に折曲ってシワになったりするおそれがあった。
【００２２】
また、反対に週刊誌位の小冊子のような複数頁の分厚い表示物１を配置部４ａに配置して、背面から裏板６で挟み込もうとすると、裏板６の背面が本体部材４の背面から大きく突出するため、係止片８を回動しようとしても、係止片８が裏板６の側面に当接して裏板６の裏側に係止することができず、無理に係止片８を回動して裏板６の裏側に係止しようとすると、係止片８やその回動軸部が破損してしまうおそれがあった。
【００２３】
そこで本考案は、上記問題点に鑑みて、額縁を壁面の突起具に係止した状態のままで、表示物の交換を簡単かつ迅速に行うことができると共に、厚さ寸法がそれぞれ異なる表示物でも保持することができる額縁構造を提供することを課題とするものである。
【課題を解決するための手段】
【００２４】
本考案による額縁構造は、
表示窓部が形成され、前記表示窓部の周囲を囲むように枠部が形成され、前記枠部の背面に本体係合部が設けられた本体部材と、
鉛直面に沿って吊り下げるための吊下げ部と、前記本体係合部に係合する吊下係合部が設けられた吊下げ具と、を備え、
前記本体係合部は、前記本体部材の前記表示窓部の左右両側及び／又は上下両側の前記枠部の背面に設けられ、
前記本体係合部と前記吊下係合部は、前記本体部材と前記吊下げ具の裏板又は壁面との間隔が変更可能となるように係合した
ことを特徴とするものである。
【００２５】
本考案による額縁構造は、
前記吊下げ具を鉛直面に沿って吊り下げて、前記吊下係合部が前記本体係合部に係合することにより、前記本体部材が前記本体部材の背面側に配置された表示物を鉛直面に沿って前記枠部の背面に押し付けて前記表示窓部から見えるように保持することができるように構成した
ことを特徴とするものである。
【００２６】
また、本考案による額縁構造は、
前記本体部材の前記表示窓部の上下両側の一方及び／又は左右両側の一方の前記枠部の背面に支持部が形成され、
前記吊下げ具を鉛直面に沿って吊り下げて、前記吊下係合部が前記本体係合部に係合することにより、前記支持部が前記本体部材の背面側に配置された表示物の下部を支持することができるように構成した
ことを特徴とするものである。
【００２７】
また、本考案による額縁構造は、
前記吊下係合部は、水平方向に伸びる同一軸線上に位置する両端部と、前記両端部の間に、前記両端部の軸線より下方にずれて位置する中央部と、前記両端部と前記中央部のそれぞれを連結する連結部を備え、
前記吊下係合部の前記両端部は、その軸線回りに回動可能となるように前記吊下げ具に取り付けられ、
前記吊下係合部の前記中央部に、前記本体部材の前記本体係合部が係合し、
前記吊下係合部の前記両端部がその軸線回りに回動することにより、前記本体部材と前記吊下げ具との対向面同士の間隔が変更可能となるように構成された
ことを特徴とするものである。
【００２８】
また、本考案による額縁構造は、
前記吊下げ具は、その外形が前記本体部材の前記表示窓部より大きく形成された裏板を備え、
前記裏板は、前記吊下係合部が前記本体係合部に係合したときに、前記裏板の周縁部の前面が、前記本体部材の前記枠部の背面に接触するように、前記吊下げ具に取り付けられ、
前記吊下げ具を鉛直面に沿って吊り下げて、前記吊下係合部が前記本体係合部に係合することにより、前記本体部材と前記裏板とが前記本体部材の背面側に配置された表示物を挟み込むように保持することができるように構成した
ことを特徴とするものである。
【考案の効果】
【００２９】
このような本考案による額縁構造によれば、
表示窓部が形成され、前記表示窓部の周囲を囲むように枠部が形成され、前記枠部の背面に本体係合部が設けられた本体部材と、
鉛直面に沿って吊り下げるための吊下げ部と、前記本体係合部に係合する吊下係合部が設けられた吊下げ具と、を備え、
前記本体係合部は、前記本体部材の前記表示窓部の左右両側及び／又は上下両側の前記枠部の背面に設けられ、
前記本体係合部と前記吊下係合部は、前記本体部材と前記吊下げ具の裏板又は壁面との間隔が変更可能となるように係合したことにより、
額縁を壁面の突起具に係止した状態のままで、表示物の交換を簡単かつ迅速に行うことができると共に、厚さ寸法がそれぞれ異なる表示物でも保持することができる。
【図面の簡単な説明】
【００３０】
【図１】本考案の第１の実施の形態に係る額縁構造１２を示す図であって、図１（ａ）はその前面側を示し、図１（ｂ）はその背面側を示す概略斜視図である。
【図２】図１に示す額縁構造１２の本体部材１４を示す図であって、図２（ａ）はその正面図であり、図２（ｂ）はその背面図である。
【図３】図２に示す本体部材１４の一部を拡大する断面図であって、図３（ａ）は図２（ｂ）におけるＡ−Ａ線矢視拡大断面図であり、図３（ｂ）は図２（ｂ）におけるＢ−Ｂ線矢視拡大断面図である。
【図４】図１に示す額縁構造１２の吊下げ具２０を示す図であって、図４（ａ）はその正面図であり、図４（ｂ）はその背面図である。
【図５】図４に示す吊下げ具２０の各部を示す拡大図であって、図５（ａ）は図４（ａ）におけるＣ−Ｃ線矢視拡大断面図であり、図５（ｂ）は吊下げ具２０の係止軸２４の周辺を拡大した拡大正面図であり、図５（ｃ）は図５（ｂ）におけるＤ−Ｄ線矢視拡大断面図である。
【図６】図４に示す吊下げ具２０の各部を示す拡大図であって、図６（ａ）は吊下げ具２０の裏板２６の横架部２２への取付部周辺を拡大した拡大正面図であり、図６（ｂ）は図６（ａ）におけるＥ−Ｅ線矢視拡大断面図である。
【図７】額縁構造１２を用いて表示物１を保持する方法、及び保持した表示物１を交換する方法を説明するための概略側面図である。
【図８】額縁構造１２を用いて異なる厚さ寸法の表示物１を保持する方法を説明するための概略側面図である。
【図９】本考案の第２の実施の形態に係る額縁構造３２を示す図であって、図９（ａ）はその前面側を示し、図９（ｂ）はその背面側を示す概略斜視図である。
【図１０】図９に示す額縁構造３２の構成部材を示す図であって、図１０（ａ）はその本体部材３４の背面図であり、図９（ｂ）はその吊下げ具４０の正面図である。
【図１１】額縁構造３２を用いて、表示物１を縦向きに保持する方法を説明するための図であり、図１１（ａ）は額縁構造３２の前面側、図１１（ｂ）は額縁構造３２の背面側を示す概略斜視図である。
【図１２】その他の実施の形態である額縁構造５２を示す図であって、図１２（ａ）はその前面側を示し、図１２（ｂ）はその背面側を示す概略斜視図である。
【図１３】額縁構造５２を用いて表示物１を保持する方法、及び保持した表示物１を交換する方法を説明するための概略側面図である。
【図１４】従来の額縁構造２を示す図であって、図１４（ａ）は額縁構造２の前面側を示し、図１４（ｂ）は額縁構造２の背面側を示す概略斜視図である。
【図１５】従来の額縁構造２を用いて表示物１を保持する方法を説明するための概略斜視図である。
【考案を実施するための形態】
【００３１】
以下、本考案による額縁構造を実施するための形態について、図面に基づいて具体的に説明する。
【００３２】
図１ないし図８は、本考案の第１の実施の形態に係る額縁構造１２について説明するために参照する図である。なお、図１４及び図１５に示した従来の額縁構造２と同様の部分には、一部を除き同じ符号を付して説明するものとする。
【００３３】
本実施の形態に係る額縁構造１２は、図１（ａ）及び（ｂ）に示すように、本体部材１４（図２参照）と、この本体部材１４の背面側に取り付けられる吊下げ具２０（図４参照）から構成されている。
【００３４】
図１に示す額縁構造１２の本体部材１４は、図２（ａ）及び（ｂ）に示すように、外形が略四角形の板状に形成された本体板部１５と、この本体板部１５の背面に設けられた２つのフック１６，１６（本体係合部）及び支持部１８を備えている。
【００３５】
本体板部１５は、図２（ａ）に示すように、図の紙面に垂直方向に所定の厚さを有し、外形が略四角形の板状に形成されている。そして、略四角形の表示窓部１５ａが本体板部１５の中央部に形成されると共に、この表示窓部１５ａの周囲を囲むように枠部１５ｂが形成されている。
【００３６】
本体板部１５の表示窓部１５ａは、本体部材１４の背面側に配置された表示物１の表示面が、額縁構造１２の前面側から見えるように、本体板部１５をその厚さ方向（図２（ａ）の紙面に垂直方向）に貫通する開口部として形成され、その開口形状は、図２（ａ）に示すように、本体板部１５の外形より小さい略四角形に形成されている。
【００３７】
本体板部１５の表示窓部１５ａは、この額縁構造１２によって保持される表示物１の外形寸法より小さく形成されている。保持される表示物１がＡ４サイズ（２１０×２９７ｍｍ）を想定している場合は、表示窓部１５ａの外形寸法は、Ａ４サイズの寸法より一回り小さな寸法である、例えば、図２（ａ）中上下方向が１８５ｍｍ、同図中左右方向が２７５ｍｍ程度の長方形の開口部として形成されている。
【００３８】
本体板部１５の背面側には、図２（ｂ）に示すように、２つのフック１６，１６が、表示窓部１５ａの水平方向（図中左右方向）の左右両側の枠部１５ｂの、本体板部１５の図中上下方向の中央より上方寄りの位置に、本体板部１５の水平方向の中央を挟んで左右対称となる位置に、それぞれ設けられている。
【００３９】
それぞれのフック１６は、細長い板状の部材を折り曲げて形成されており、図３（ａ）に示すように、図中上下方向に伸びる取付部１６ａと、この取付部１６ａの下端から略直角に折り曲げられて図中左方向に立ち上がる立上部１６ｂと、この立上部１６ｂの取付部１６ａと反対側の端部から略直角に折り曲げられて図中下方向に伸びる先端部１６ｃを備えて形成されている。
【００４０】
このようなフック１６が、図２（ｂ）に示すように、その先端部１６ｃを図中下方向に向け、かつ、その立上部１６ｂの本体板部１５における図中上下方向の位置が、本体板部１５の表示窓部１５ａの上端部より下方に位置するように、本体板部１５の枠部１５ｂに配置されている。
【００４１】
そして、フック１６は、図３（ａ）に示すように、その取付部１６ａを本体板部１５の枠部１５ｂの背面に接触させ、この接触する部分を接着剤等により接合することにより、本体板部１５に固定されている。
【００４２】
また、本体部材１４の背面側には、図２（ｂ）に示すように、水平方向（図中左右方向）に細長く伸びる支持部１８が、本体板部１５の表示窓部１５ａの下側の枠部１５ｂに設けられている。
【００４３】
支持部１８は、図３（ｂ）に示すように、本体板部１５の枠部１５ｂの背面から垂直方向（図中左方向）に突出し、水平方向（図の紙面に垂直方向）に伸びる細長い板状に形成されている。
【００４４】
このような支持部１８が、図２（ｂ）に示すように、表示窓部１５ａの下側の枠部１５ｂの水平方向（図中左右方向）の中央部の、その枠部１５ｂの上端部寄りの位置に形成されている。
【００４５】
このような本体板部１５においては、表示物１を本体板部１５の背面側に配置した場合に、表示物１の下辺部が表示窓部１５ａの下方に設けられた支持部１８の上面に接触すると共に、表示物１の上辺部が表示窓部１５ａより上方に配置することにより、表示物１の表示面の中央側の大部分が、本体板部１５の表示窓部１５ｂの形状や大きさに輪郭が縁取られて、表示窓部１５ｂの内側一杯に表示されるようになっている。
【００４６】
このような額縁構造１２の本体部材１４は、合成樹脂材料やアルミニウム等の金属材料により形成することができる。例えば、合成樹脂材料により形成した本体板部１５に、合成樹脂材料により形成された支持部１８と金属材料により形成されたフック１６を接着剤等により固定することにより、本体部材１４を形成することができる。
【００４７】
また、本体板部１５と、支持部１８やフック１６を合成樹脂材料により一体形成したり、一枚の金属板をプレス加工して本体板部１５の表示窓部１５ａや、支持部１８、フック１６を形成したりすることもできる。
【００４８】
図１に示す額縁構造１２の吊下げ具２０は、図４（ａ）及び（ｂ）に示すように、水平方向（図中左右方向）に伸びる横架部２２と、この横架部２２の幅方向（図中上下方向）の下側部に取り付けられた２つの係止軸２４，２４（吊下係合部）と、この横架部２２の上記下側部の上記２つの係止軸２４，２４の間の位置に取り付けられた裏板２６から構成されている。
【００４９】
横架部２２は、図４（ａ）に示すように、図の紙面に垂直方向に所定の厚さを有し、水平方向（図中左右方向）に伸びる細長い板状に形成されている。
【００５０】
また、同図に示すように、横架部２２の幅方向（図中上下方向）の上側部には、その長さ方向（図中左右方向）の中央部に、平面形状が略台形の板状に形成された吊下げ部２３が、横架部２２の上側部から図中上方向に突出するように形成されている。
【００５１】
そして、吊下げ部２３の中央部には、図４（ａ）に示すように、吊下げ部２３を厚さ方向（図の紙面に垂直方向）に貫通する吊孔２３ａが形成されている。この吊孔２３ａを壁面３０に設けられたＬ字金具のような突起具３１のフック部に掛けることにより、吊下げ具２０は壁面３０に設けられた突起具３１に吊り下げられるようになっている。
【００５２】
横架部２２の下側部には、図４（ａ）に示すように、その長さ方向（図中左右方向）の両端部の位置に、横架部２２の下側部の長さ部分を図中上方向に向けて略長方形に切り欠いたような２つの両端凹部２２ａ，２２ａが、横架部２２の長さ方向の中央を挟んで左右対称となるように、それぞれ形成されている。
【００５３】
これらの２つの両端凹部２２ａ，２２ａは、それぞれの中心の間隔が、前記本体部材１４の背面側に設けられた２つのフック１６，１６のそれぞれの中心の間隔と略同一になるように、横架部２２の下側部に形成されると共に、それぞれの両端凹部２２ａは、その凹形状部分の長さ方向（図５（ｂ）中左右方向）の寸法が、上記フック１６の幅方向（図２（ｂ）中左右方向）の寸法より大きくなるように形成されている。
【００５４】
そして、それぞれの両端凹部２２ａには、図５（ｂ）に示すように、両端凹部２２ａの水平方向（図中左右方向）に互いに対向する内側面のそれぞれに、水平方向に伸びる同一軸線上に略同一の径を有する円孔形状の係止軸孔２２ｂ，２２ｂが形成されている。
【００５５】
そして、図４（ａ）及び（ｂ）に示すように、これらの２つの両端凹部２２ａ，２２ａには、係止軸２４がそれぞれ取り付けられている。
【００５６】
係止軸２４は、所定の長さを有する丸棒状の部材を曲げて形成されており、図５（ｂ）に示すように、水平方向（図中左右方向）に伸びる同一軸線上に位置する両端側の端部２４ａ，２４ａと、この端部２４ａと平行に伸び、かつ、これらの端部２４ａ，２４ａの間に、端部２４ａの軸線より図中下方に長さＬだけずれて位置する中央部２４ｂと、端部２４ａと中央部２４ｂのそれぞれの端部から直角に折れ曲がって、これらの端部２４ａ，２４ａと中央部２４ｂの両端部をそれぞれ連結する連結部２４ｃ，２４ｃを備えた、クランク形状に形成されている。
【００５７】
この係止軸２４の中央部２４ｂの長さ方向（図５（ｂ）中左右方向）の寸法は、上記両端凹部２２ａの凹形状部分の水平方向（図５（ｂ）中左右方向）の長さ寸法より小さく、かつ、前記本体部材１４の背面側に設けられたフック１６の幅方向（図２（ｂ）中左右方向）の寸法より大きくなるように形成されている。
【００５８】
そして、係止軸２４の中央部２４ｂの直径は、フック１６の立上部１６ｂの高さ方向（図３（ａ）中左右方向）の内側の寸法、すなわち、枠部１５ｂの背面からフック１６の先端部１６ｃまでの寸法より小さくなるように形成されている。
【００５９】
また、この係止軸２４の両端側の端部２４ａ，２４ａのそれぞれの長さ方向（図中左右方向）寸法は、一方（図５（ｂ）中右側）の端部２４ａの長さ寸法が、他方（図５（ｂ）中左側）の端部２４ａの長さ寸法より大きくなるように形成されている。
【００６０】
このような係止軸２４が、図５（ｂ）及び（ｃ）に示すように、横架部２２の両端凹部２２ａに形成された係止軸孔２２ｂ，２２ｂに、係止軸２４の両端側の端部２４ａ，２４ａがそれぞれ緩く嵌合されることにより、係止軸２４の端部２４ａの軸線回りに回動可能に、横架部２２に取り付けられている。
【００６１】
このとき、図５（ｂ）に示すように、係止軸２４の２つの端部２４ａ，２４ａのうちの、長さ寸法が小さい一方の端部２４ａが、両端凹部２２ａに形成された２つの係止軸孔２２ｂ，２２ｂのうちの、両端凹部２２ａの水平方向の外側（図中左側）に形成された係止軸孔２２ｂに挿通されると共に、長さ寸法が大きい他方の端部２４ａが、両端凹部２２ａの水平方向の内側（図中右側）に形成された係止軸孔２２ｂに挿通されている。
【００６２】
また、横架部２２の下側部には、図４（ａ）に示すように、横架部２２に形成された２つの両端凹部２２ａ，２２ａの間の長さ部分に、両端凹部２２ａと同じように、横架部２２の下側部の長さ部分を図中上方向に向けて略長方形に切り欠いたような中央凹部２２ｃが形成されている。
【００６３】
この中央凹部２２ｃの凹形状部分の長さ方向（図４（ｂ）中左右方向）の寸法は、前記本体板部１５の表示窓部１５ａの幅方向（図２（ａ）中左右方向）の寸法より大きくなるように形成されている。
【００６４】
そして、この中央凹部２２ｃには、図６（ａ）に示すように、中央凹部２２ｃの水平方向（図中左右方向）に互いに対向する内側面のそれぞれに、上記両端凹部２２ａに形成された係止軸孔２２ｂと同一の軸線上に、係止軸孔２２ｂと略同一の径を有する円孔形状の裏板軸孔２２ｄ，２２ｄが形成され、これらの裏板軸孔２２ｄ，２２ｄは、それぞれの横架部２２の長さ方向の両端部側の先端部において、両端凹部２２ａに形成された係止軸孔２２ｂとその円孔形状が連通するようになっている。
【００６５】
そして、図６（ａ）に示すように、両端凹部２２ａに取り付けられた係止軸２４の２つの端部２４ａ，２４ａのうちの、長さ寸法が大きい一方の端部２４ａが、両端凹部２２ａに形成された係止軸孔２２ｂから、中央凹部２２ｃに形成されたに裏板軸孔２２ｄへと連続して挿通され、その端部２４ａの先端部が、中央凹部２２ｃの内側面に形成された裏板軸孔２２ｄの開口部から、中央凹部２２ｃの長さ方向両端部の内側へ突出するようになっている。
【００６６】
そして、図４（ａ）及び（ｂ）に示すように、この中央凹部２２ｃには、図の紙面に垂直方向に所定の厚さを有し、外形が略四角形の板状に形成された裏板２６が取り付けられている。
【００６７】
裏板２６には、図６（ａ）に示すように、その水平方向（図中左右方向）の左右両側の端面に、水平方向に伸びる同一軸線上に上記中央凹部２２ｃに形成された裏板軸孔２２ｄと略同一の径を有する円孔形状の側面孔２６ａ，２６ａが、それぞれの端面の上端部寄りの位置に形成されている。
【００６８】
また、裏板２６には、図４（ａ）に示すように、その水平方向の（図中左右方向）の中央部の、裏板２６の下辺部寄りの位置に、図５（ａ）に示すように、裏板２６をその厚さ方向（図中左右方向）に貫通する、水平方向に細長い略長方形（図４（ａ）参照）の開口部２６ｂが形成されている。
【００６９】
そして、裏板２６の前面側には、図４（ａ）に示すように、裏板２６の開口部２６ｂの下辺部と裏板２６の下辺部の間の位置に、裏板２６の前面が背面側に向けてその厚さ方向（図中左右方向）に凹むような（図５（ａ）参照）、略長方形の裏板凹部２６ｃが形成されている。
【００７０】
このような裏板２６が、図６（ａ）及び（ｂ）に示すように、その側面孔２６ａと上記中央凹部２２ｃの裏板軸孔２２ｄの互いの軸線が一致するように中央凹部２２ｃに配置され、中央凹部２２ｃの裏板軸孔２２ｄの開口部から突出する係止軸２４の端部２４ａの先端部が、側面孔２６ａに緩く嵌合することによって、係止軸２４の端部２４ａの軸線回りに回動可能に、横架部２２の中央凹部２２ｃに取り付けられている。
【００７１】
そして、図６（ｂ）に示すように、横架部２２と裏板２６は、それぞれの前面側及び背面側が平坦に形成されていると共に、それぞれの厚さ方向（図中左右方向）の寸法が略同一に形成されている。このため、上記のように横架部２２に裏板２６が取り付けられた状態において、横架部２２の前面と裏板２６の前面、及び横架部２２の背面と裏板２６の背面が、それぞれ同一の平面上に位置するようになっている。
【００７２】
このような額縁構造１２の吊下げ具２０は、合成樹脂材料や金属材料により形成することができる。例えば、合成樹脂材料により形成された横架部２２に、金属材料の丸棒状の部材を曲げて形成された係止軸２４と、合成樹脂材料により形成された裏板２６を取り付けることにより形成することができる。
【００７３】
本実施の形態に係る額縁構造１２においては、図１（ｂ）に示すように、吊下げ具２０に設けられた２つの係止軸２４，２４のそれぞれの中央部２４ｂが、本体部材１４に設けられた２つのフック１６，１６のそれぞれの先端部１６ｃと本体部材１４の枠部１５ｂの間の空間（図３（ａ）参照）に下方から差し入れられて、係止軸２４の中央部２４ｂがフック１６の立上部１６ｂに接触して係合することにより、本体部材１４が吊下げ具２０の係止軸２４に吊り下げられるように取り付けられている。
【００７４】
このとき、本体部材１４の支持部１８は、吊下げ具２０の裏板２６に形成された開口部２６ｂの内側に位置するようになっているため（図１（ｂ）参照）、支持部１８と裏板２６が接触しないようになっている。
【００７５】
そして、支持部１８の高さ方向（図３（ｂ）中左方向）の寸法は、裏板２６の厚さ寸法より小さく形成されているため、本体部材１４の支持部１８の高さ方向の先端部が、吊下げ具２０の裏板２６の背面側へ突出しないようになっている。
【００７６】
また、吊下げ具２０の裏板２６は、図１（ａ）及び（ｂ）に示すように、その外形が本体部材１４の表示窓部１５ａより大きく形成されているため、吊下げ具２０の裏板２６の周縁部の前面側が、本体部材１４の枠部１５ｂの背面側と接触するようになっている。
【００７７】
そして、本体部材１４のフック１６が吊下げ具２０の係止軸２４に係止して、吊下げ具２０が壁面から吊り下げられた状態で、吊下げ具２０の係止軸２４をその端部２４ａ，２４ａの軸線回りに回動することにより、この係止軸２４の中央部２４ｂに係合している本体部材１４と、この係止軸２４の端部２４ａ，２４ａが取り付けられている吊下げ具２０の裏板２６との間隔を変更することができるようになっている。
【００７８】
次に、本実施の形態に係る額縁構造１２を用いて、表示物１を保持して壁面等の鉛直平面に展示する方法、及び保持した表示物１を交換する方法について、詳しく説明する。
【００７９】
まず、額縁構造１２の吊下げ具２０を、壁面３０に設けられたＬ字金具のような突起具３１のフック部（Ｌ字部）に掛ける。吊下げ具２０は、その吊下げ部２３に形成された吊孔２３ａに突起具３１の軸部を挿通させて、そのフック部に吊下げ部２３を係合させ、吊下げ具２０の背面側が壁面３０に沿うように、又は壁面３０に接触するように配置する（図７（ａ）参照）。
【００８０】
そして、本体部材１４に設けられた２つのフック１６，１６を、吊下げ具２０に設けられた２つの係止軸２４，２４にそれぞれ係合させることにより（図１（ｂ）参照）、壁面３０に掛けられた吊下げ具２０に本体部材１４を保持させる（図７（ａ）参照）。
【００８１】
このとき、吊下げ具２０の係止軸２４は、これに係合する本体部材１４の重さによって、その中央部２４ｂがその端部２４ａの軸線の鉛直下方に向けて回動しようとする。これにより、係止軸２４の中央部２４ｂに係合する本体部材１４は壁面３０に接近するように移動し、その結果、本体部材１４の枠部１５ｂの背面側が吊下げ具２０の裏板２６の前面側に接触する（図７（ａ）参照）。
【００８２】
この状態から、本体部材１４の下部に手を添えて、本体部材１４が裏板２６から離れる方向に力を加える操作をすることにより、吊下げ具２０の係止軸２４は、その中央部２４ｂが壁面３０から離れる方向に回動する。その結果、この係止軸２４の中央部２４ｂに係合する本体部材１４と裏板２６の間に大きな隙間ができる（図７（ｂ）参照）。
【００８３】
そして、この隙間に表示物１を下から、または横から差し入れて、表示物１の表示面が本体部材１４の表示窓部１５ａを有する本体板部１５の背面側に配置する（図７（ｂ）参照）。
【００８４】
このとき、本体部材１４の下部を裏板２６から離れるように操作することにより、係止軸２４の端部２４ａが取り付けられた吊下げ具２０の横架部２２の下側部が本体部材１４と一緒に壁面３０から離れる方向に移動しようとしても、係止軸２４が端部２４ａを軸として回動するため、横架部２２の下側部に取り付けられた裏板２６はその重さにより、常に横架部２２との取付部から鉛直下方に垂下するようになっている。
【００８５】
このため、本体部材１４が裏板２６から離れるように操作しても、裏板２６が本体部材１４と一緒に壁面３０から大きく離れることはなく、本体部材１４と裏板２６の間の隙間を大きく広げることができる。
【００８６】
このため、本体部材１４と裏板２６の間の隙間に差し入れる表示物１の厚さ寸法が大きいものであっても、本体部材１４の下部をさらに裏板２６から離れるように操作することにより、隙間をより大きくすることができるため、表示物１を容易に配置することができる。
【００８７】
そして、裏板２６から離れるようにその下部を操作した本体部材１４を元の位置に戻すことにより、吊下げ具２０の係止軸２４は、これに係合する本体部材１４の重さによって、その中央部２４ｂが端部２４ａの軸線の鉛直下方に向けて回動しようとする。これにより、この係止軸２４の中央部２４ｂに係合する本体部材１４は壁面３０に接近するように移動し、その結果、表示物１は本体部材１４の背面と吊下げ具２０の裏板２６の前面の間に挟まれる（図７（ｃ）参照）。
【００８８】
このとき、表示物１の下部が支持部１８により支持されるため、表示物１が下方に落下することを防止することができる。
【００８９】
このように、表示物１を、本実施の形態に係る額縁構造１２を用いて保持し、壁面３０の鉛直面に展示することができる（図７（ｃ）参照）。
【００９０】
ここで、本実施の形態に係る額縁構造１２の本体部材１４は、図７（ｂ）に示すように、本体部材１４に設けられたフック１６が係合する、吊下げ具２０の係止軸２４の中央部２４ｂの軸線回りに回動することができるようになっている。
【００９１】
そして、図７（ｃ）に示すように、本体部材１４と裏板２６の間に表示物１が挟まれて保持されている状態では、フック１６の立上部１６ｂの図中上下方向の位置は、本体部材１４の表示窓部１５ａの上端部より図中下方、すなわち、保持された表示物１の上端部より図中下方に位置するようになっている。
【００９２】
このため、吊下げ具２０の係止軸２４がこれに係合する本体部材１４の重さによって回動して、本体部材１４が壁面３０に接近するように移動しようとした場合は、本体部材１４は、本体部材１４と表示物１の上端部との接触部を支点として、この接触部より下方に位置する本体部材１４の係合部、すなわち、フック１６の立上部１６ｂと係止軸２４の中央部２４ａが壁面３０に接近するように移動するため、本体部材１４の背面は常に表示物１の前面に沿って、表示物１の全面に亘って接触するようになっている。
【００９３】
これにより、厚さ寸法の大きい表示物１を挟み込んだ場合であっても、本体部材１４が表示物１の前面から大きく離れることはなく、表示物１を裏板２６の前面に向って確実に押さえつけることができるようになっている。
【００９４】
そして、表示物１を交換する場合は、図７（ｂ）に示すように、額縁構造１２を支持した吊下げ具２０を壁面３０の突起具３１に吊り下げた状態のまま、本体部材１４の下部に手を添えて、本体部材１４が裏板２６から離れる方向に力を加える操作をすることによって、本体部材１４の背面と裏板２６の前面の間に大きな隙間ができるため、額縁構造１２を壁面３０に吊り下げた状態のまま、表示物１を簡単かつ迅速に取り出したり、交換したりすることができる。
【００９５】
また、本実施の形態に係る額縁構造１２においては、吊下げ具２０の係止軸２４が回動することにより、本体部材１４の背面と裏板２６の前面の間隔を変更することが可能になっているため、図８に示すように、厚さ寸法がそれぞれ異なる表示物１でも保持することができる。
【００９６】
すなわち、薄い一枚の絵を描いた紙のような表示物１であっても、吊下げ具２０に吊り下げられた本体部材１４によって表示物１が裏板２６の前面に向って押さえつけられるため、本体部材１４と裏板２６の間に隙間が生じることはなく、表示物１の表示位置がずれたり、表示物１がその厚さ方向に折れ曲ってシワになったりせずに、きれいに保持することができる（図８（ａ）参照）。
【００９７】
また、反対に小冊子のような複数頁の分厚い表示物１を保持する場合は、吊下げ具２０の係止軸２４が回動することにより、本体部材１４の背面と裏板２６の前面の間隔を大きくすることができるので、厚さ寸法の大きい表示物１であっても、本体部材１４と裏板２６とで挟み込むことができる（図８（ｂ）参照）。
【００９８】
このように、本考案の第１の実施の形態に係る額縁構造１２によれば、額縁を壁面の突起具に係止した状態のままで、表示物の交換を簡単かつ迅速に行うことができると共に、厚さ寸法がそれぞれ異なる表示物でも保持することができる。
【００９９】
図９ないし図１１は、本考案の第２の実施の形態に係る額縁構造３２について説明するために、参照する図である。なお、前記第１の実施の形態に係る額縁構造１２と同様の部分には、一部を除き同じ符号を付して説明するものとする。
【０１００】
本実施の形態に係る額縁構造３２は、前記第１の実施の形態に係る額縁構造１２における本体部材１４（図２（ｂ）参照）の代わりに、図１０（ａ）に示すような本体部材３４を備え、前記第１の実施の形態に係る額縁構造１２における吊下げ具２０（図４（ａ）参照）の代わりに、図１０（ｂ）に示すような吊下げ具４０を備えている点において、前記第１の実施の形態に係る額縁構造１２とは異なるものである。
【０１０１】
図９に示す額縁構造３２の本体部材３４は、図１０（ａ）に示すように、前記第１の実施の形態に係る額縁構造１２における本体部材１４と同様に、外形が略四角形の板状に形成された本体板部１５と、この本体板部１５の背面に設けられた２つのフック１６、１６及び支持部１８を備えている。
【０１０２】
これに加えて、本体部材３４の背面側には、図１０（ａ）に示すように、フック１６と同じ形状の、２つのフック３６，３６（本体係合部）が、表示窓部１５ａの図中上下両側の枠部１５ｂにもそれぞれ設けられている。
【０１０３】
これらのフック３６，３６は、図１０（ａ）に示すように、その先端部３６ｃを図中右方向に向け、かつ、その立上部３６ｂの本体板部１５における図中左右方向の位置が、本体板部１５の表示窓部１５ａの左端部より右方の、表示窓部１５ａの図中左右方向の中央部寄りに位置するように、本体板部１５の枠部１５ｂに、本体板部１５の図中上下方向の中央を挟んで上下対称となるように配置されている。
【０１０４】
また、本体部材３４の背面側には、図１０（ａ）に示すように、図中上下方向に伸びる板状の支持部３８が、表示窓部１５ａの右側の枠部１５ｂの、図中上下方向の中央部に形成されている。
【０１０５】
支持部３８は、図３（ｂ）に示すような、前記第１の実施の形態に係る額縁構造１２における支持部１８と同様の形状に形成され、図１０（ａ）に示すように、表示窓部１５ａの右側の枠部１５ｂの図中上下方向の中央部の、その枠部１５ｂの左端部寄りの位置に形成されている。
【０１０６】
これにより、表示物１を本体部材３４の背面側に配置した場合に、表示物１の右辺部が表示窓部１５ａの右側に設けられた支持部３８の左側面と接触すると共に、表示物１の左辺部が表示窓部１５ａより左方に配置されるため、表示物１の表示面の中央側の大部分が、本体板部１５の表示窓部１５ｂの形状や大きさに輪郭が切り取られて、表示窓部１５ｂの内側一杯に表示されるようになっている。
【０１０７】
このように、本実施の形態に係る額縁構造３２の本体部材３４には、図１０（ａ）に示すように、その背面に、２つのフック１６，１６及び支持部１８に加えて、これら２つのフック１６，１６及び支持部１８からなる構成を、本体部材３４の中央部を軸として図中反時計回りに９０度回転させたような、２つのフック３６，３６及び支持部３８が設けられている。
【０１０８】
図９に示す額縁構造３２の吊下げ具４０は、図１０（ｂ）に示すように、前記第１の実施の形態に係る額縁構造１２における吊下げ具２０と同様に、水平方向（図中左右方向）に伸びる横架部２２と、この横架部２２の幅方向の下側部に取り付けられた２つの係止軸２４，２４を備えて構成されている。
【０１０９】
そして、吊下げ具４０には、図１０（ｂ）に示すように、前記第１の実施の形態に係る額縁構造１２における吊下げ具２０における裏板２６の代わりに、裏板４６が取り付けられている。
【０１１０】
裏板４６は、図１０（ｂ）に示すように、前記第１の実施の形態に係る裏板２６と同様に、図の紙面に垂直方向に所定の厚さを有し、外形が略四角形の板状に形成されており、その水平方向（図中左右方向）の左右両側の端面の上辺部寄りの位置に、前記第１の実施の形態に係る側面孔２６ａ，２６ａと同様の側面孔２６ａ，２６ａ（図示せず）が形成され、その水平方向の中央部の下辺部よりの位置に、前記第１の実施の形態に係る開口部２６ｂ及び裏板凹部２６ｃと同様の開口部２６ｂ及び裏板凹部２６ｃが形成されている。
【０１１１】
これに加えて、裏板４６には、図１０（ｂ）に示すように、その図中上下方向の中央部の右辺部寄りの位置に、裏板４６をその厚さ方向（図の紙面に垂直方向）に貫通する、図中上下方向に細長い略長方形の開口部４６ｂが形成されている。
【０１１２】
そして、裏板４６の前面側には、図１０（ｂ）に示すように、裏板４６の開口部４６ｂの右辺部と裏板４６の右辺部の間の位置に、裏板４６の前面が背面側に向けてその厚さ方向（図の紙面に垂直方向）に凹むような、略長方形の裏板凹部４６ｃが形成されている。
【０１１３】
このような裏板４６が、その側面孔２６ａ，２６ａに中央凹部２２ｃの裏板軸孔２２ｄの開口部から突出する係止軸２４の端部２４ａの先端部がそれぞれ緩く嵌合されることにより、係止軸２４の端部２４ａの軸線回りに回動可能に、横架部２２に取り付けられている。
【０１１４】
このような、本実施の形態に係る額縁構造３２においては、図１１（ａ）及び（ｂ）に示すように、吊下げ具４０に本体部材３４を取り付ける場合に、本体部材３４を図１０（ａ）に示す状態から図中時計回り方向に９０度回転した状態で、本体部材３４に設けられた２つのフック３６，３６を、吊下げ具４０に設けられた２つの係止軸２４，２４に係合させることにより、図１０（ａ）における本体部材３４の左側を上にして吊下げ具４０に吊り下げることができるようになっている。
【０１１５】
これにより、本体部材３４の表示窓部１５ａも図１０（ａ）に示す状態から図中時計回り方向に９０度回転するため、表示物１の図柄もその展示方向を横向きから縦向きへと変更することができるようになっている。
【０１１６】
その他の構成は、前記第１の実施の形態に係る額縁構造１２と同様であるため、この本考案の第２の実施の形態に係る額縁構造３２を用いることによっても、額縁を壁面の突起具に係止した状態のままで、表示物の交換を簡単かつ迅速に行うことができると共に、厚さ寸法がそれぞれ異なる表示物でも保持することができる。
【０１１７】
さらに、本実施の形態に係る額縁構造３２を用いることにより、表示物１の展示方向を横向きから縦向きへと変更することができる。
【０１１８】
なお、本考案は、前記第１ないし第２の実施の形態のみに限定されるものではなく、本考案の目的を達成することができる範囲内であれば、種々の変更が可能である。
【０１１９】
例えば、前記第１及び第２の実施の形態に係る額縁構造１２，３２においては、表示窓部１４ａ，３４ａは本体部材１４，３４を厚さ方向に貫通する開口部として形成されているが、表示物１の表示面が額縁の前面側から見えればよいので、表示窓部１４ａ，３４ａから見える表示物１がガラス等の透明の部材を通して見えるようにしてもよい。
【０１２０】
また、前記第１及び第２の実施の形態に係る額縁構造１２，３２においては、本体部材１４，３４の前面は平坦に形成されているが、額縁の前面を装飾するために、本体部材１４，３４の前面にさまざまな形状や模様が形成されていてもよい。
【０１２１】
また、本体部材１４，３４の前面に、額縁の前面を装飾するための部材を取り付けるようになっていてもよく、この部材が本体部材１４，３４の前面に着脱可能に取り付けられ、様々な種類の部材の中から本体部材１４，３４の前面に取り付ける部材を選択できるようになっていてもよい。
【０１２２】
また、前記第１及び第２の実施の形態に係る額縁構造１２，３２においては、支持部１８，３８は、本体部材１４，３４の枠部１５ｂの背面に設けられているが、表示物１が下方に移動しないように支持されていればよいので、これらの支持部１８，３８が裏板２６，４６の側に設けられていてもよい。
【０１２３】
また、前記第１及び第２の実施の形態に係る額縁構造１２，３２においては、本体部材１４，３４や裏板２６，４６が表示物１と接触する箇所は平坦な平面に形成されているが、保持した表示物１が下方に移動しないように、滑り止めの部材が貼り付けられていてもよい。
【０１２４】
また、前記第２の実施の形態に係る額縁構造３２においては、その本体部材３４は、図１０（ａ）における本体部材３４の右辺部が下側になるように、吊下げ具４０に係合させるようになっているが（図１１参照）、本体部材３４を９０度回転させた状態で、吊下げ具４０に係合させることができればよいので、図１０（ａ）における本体部材３４の左辺部が下側になるように吊下げ具４０に係合させるようにしてもよい。
【０１２５】
その場合は、本体部材３４の２つのフック３６，３６（本体係合部）が、図１０（ａ）における２つのフック３６，３６の位置の代わりに、本体板部１５の左右中央の位置に引いた上下方向の中心線に関して右側の対称の位置に、対称の向きで２つのフック３６，３６を設けてもよい。これと同時に、図１０（ａ）における支持部３８の位置の代わりに、同様の中心線に関して対称の左側の位置に支持部３８を設けてもよい。
【０１２６】
また、前記第１及び第２の実施の形態に係る額縁構造１２，３２においては、表示物１は、本体部材１４，３４と裏板２６，４６とで挟み込まれて保持されているが、本体部材１４，３４が表示物１を壁面３０に向けて押し付けるように挟み込まれていればよく、表示物１の厚さ寸法が大きい場合は、例えば、図１２に示すような、吊下げ具２０，４０や裏板２６，４６を備えていない、所定の長さを有する丸棒状の部材を曲げて形成した簡略化された吊下げ具６０を備えた額縁構造５２を用いてもよい。
【０１２７】
この額縁構造５２においては、図１３（ｂ）に示すように、保持する表示物１の厚さ寸法が支持部１８の高さ寸法より大きいため、表示物１は、本体部材１４と壁面３０に挟まれて保持されるようになっている。
【０１２８】
その他の構成は、前記第１の実施の形態に係る額縁構造１２と同様であるため、このような額縁構造５２を用いることによっても、額縁を壁面の突起具に係止した状態のままで、表示物の交換を簡単かつ迅速に行うことができると共に、厚さ寸法がそれぞれ異なる表示物でも保持することができる。
【０１２９】
また、この額縁構造５２においては、前記第１の実施の形態に係る額縁構造１２の本体部材１４と同様の本体部材１４を用いているが、前記第２の実施の形態に係る額縁構造３２の本体部材３４を用い、前記第２の実施の形態に係る額縁構造３２と同様に、表示物１の展示方向を９０度回転させて変更することができるようにしてもよい。
【符号の説明】
【０１３０】
１  表示物
２  額縁構造
４  本体部材
４ａ  配置部
４ｂ  縁部
４ｃ  表示窓部
４ｄ  枠部
４ｅ  段差面
６  裏板
８  係止片
９  かけ紐
１２  額縁構造
１４  本体部材
１５  本体板部
１５ａ  表示窓部
１５ｂ  枠部
１６  フック
１６ａ  取付部
１６ｂ  立上部
１６ｃ  先端部
１８  支持部
２０  吊下げ具
２２  横架部
２２ａ  両端凹部
２２ｂ  係止軸孔
２２ｃ  中央凹部
２２ｄ  裏板軸孔
２３  吊下げ部
２３ａ  吊孔
２４  係止軸
２４ａ  端部
２４ｂ  中央部
２４ｃ  連結部
２６  裏板
２６ａ  側面孔
２６ｂ  開口部
２６ｃ  裏板凹部
３０  壁面
３１  突起具
３２  額縁構造
３４  本体部材
３６  フック
３６ａ  取付部
３６ｂ  立上部
３６ｃ  先端部
３８  支持部
４０  吊下げ具
４６  裏板
４６ｂ  開口部
４６ｃ  裏板凹部
５２  額縁構造
６０  吊下げ具
Ｌ  長さ
【図１】
0003216315.tif 000003
【図２】
0003216315.tif 000004
【図３】
0003216315.tif 000005
【図４】
0003216315.tif 000006
【図５】
0003216315.tif 000007
【図６】
0003216315.tif 000008
【図７】
0003216315.tif 000009
【図８】
0003216315.tif 000010
【図９】
0003216315.tif 000011
【図１０】
0003216315.tif 000012
【図１１】
0003216315.tif 000013
【図１２】
0003216315.tif 000014
【図１３】
0003216315.tif 000015
【図１４】
0003216315.tif 000016
【図１５】
0003216315.tif 000017